(57)【要約】      （修正有）【課題】任意の高さに調整可能で、任意の角度で使用できる簡易タイプの三面鏡を提供する。【解決手段】仰角方向及び円周方向に回転可能な鏡本体１と、鏡本体を保持した状態で昇降可能な可動ホルダ２と、可動ホルダを収容する箱状の支柱３と、を有して構成される。可動ホルダ２に、ノコギリ歯状の係合面を設けた中央板を配置する一方、支柱３には、中央板の係合面に歯合する被係合面を設けたストッパ５０がスプリングＳＰで加圧されて配置されている。【選択図】図２
0003162627.tif 000002
【実用新案登録請求の範囲】
【請求項１】
仰角方向及び円周方向に回転可能な鏡本体と、鏡本体を保持した状態で昇降可能な可動ホルダと、可動ホルダを収容する箱状の支柱と、を有して構成され、
可動ホルダと支柱の何れか一方側に、係合面を設けた当接部を配置する一方、
可動ホルダと支柱の何れか他方側には、当接部の係合面に歯合する被係合面を設けたストッパを加圧状態で配置するよう構成されたことを特徴とする三面鏡。
【請求項２】
鏡本体は、第一ボルト部材に軸支されて可動ホルダに保持されることで、仰角方向に調整可能に構成されている請求項１に記載の三面鏡。
【請求項３】
ストッパは、第二ボルト部材に保持されて前後方向に進退可能に加圧されている請求項１又は２に記載の三面鏡。
【請求項４】
ストッパに設けられた略ノコギリ歯状の被係合面が、水平方向に加圧されるよう構成されている請求項１〜３の何れかに記載の三面鏡。
【請求項５】
可動ホルダの一部に略ノコギリ歯状の係合面が形成されることで、当接部として機能している請求項１〜４の何れかに記載の三面鏡。
【請求項６】
可動ホルダは、略Ｕ字状の装着部を有して構成され、
装着部の内方装着面の間に、鏡本体の一部が配置されて第一ボルト部材によって軸支されている請求項１〜５の何れかに記載の三面鏡。
【請求項７】
可動ホルダは、高さ方向に延びる長板状に形成された二枚の板材と、二枚の板材を接続する中央板とで、断面Ｈ字状に構成された本体部を有して構成され、
中央板の高さ方向に形成された長穴が、支柱に保持された第二ボルト部材に対するスライド溝として機能している請求項１〜６の何れかに記載の三面鏡。
【請求項８】
中央板は、係合面を形成した当接部として機能している請求項７に記載の三面鏡。
【請求項９】
鏡本体は、
可動ホルダに保持される継手ホルダと、
鏡を配置した中央ハウジングを回転可能に保持して、継手ホルダに固定される位置決めホルダと、を有して構成されている請求項１〜８の何れかに記載の三面鏡。
【請求項１０】
位置決めホルダには、前後方向に移動可能な可動片が形成されている一方、中央ハウジング１１には、可動片に設けられた係止部に対応する位置に被係止部が形成されている請求項９に記載の三面鏡。
【請求項１１】
中央ハウジングに対面する可動片の先端の一部を切欠くことで係止部が形成され、中央ハウジングには被係止部が突出形成されている請求項１０に記載の三面鏡。
【考案の詳細な説明】
【技術分野】
【０００１】
本考案は、机上に配置して使用され、任意の高さに調整可能で、任意の角度で使用できる小型の三面鏡に関するものである。
【背景技術】
【０００２】
机上に配意して使用される小型の三面鏡としては、例えば、特許文献１〜特許文献５の発明又は考案が知られている。
【先行技術文献】
【特許文献】
【０００３】
【特許文献１】特開２００８−２７２３３３号公報
【特許文献２】特開平１１−０５６５５４号公報
【特許文献３】特開平０９−２７６１０２号公報
【特許文献４】実開平０５−０１８３６４号公報
【特許文献５】実登３０２８３６２号公報
【考案の概要】
【考案が解決しようとする課題】
【０００４】
しかし、何れの三面鏡も、鏡面の高さを自由に変更できるものではないので、使用上の不便があった。すなわち、例えば、頭頂部や後頭部をチェックしたいような場合には、通常の使用状態より鏡面位置を上げる必要があるが、上記の三面鏡の構造では、このような要請に応えることはできない。
【０００５】
また、三面鏡を水平方向に広げるだけでなく、上下方向に広げることができる構成は知られているものの（特許文献３）、その構造がやや複雑であり、簡易性に欠けるという問題もあった。
【０００６】
本考案は、上記の問題点に鑑みてなされたものであって、任意の高さに調整可能で、鏡面を回転させることもできる簡易タイプの三面鏡を提供することを目的とする。
【課題を解決するための手段】
【０００７】
上記の目的を達成するため、本考案は、仰角方向及び円周方向に回転可能な鏡本体と、鏡本体を保持した状態で昇降可能な可動ホルダと、可動ホルダを収容する箱状の支柱と、を有して構成され、可動ホルダと支柱の何れか一方側に、係合面を設けた当接部を配置する一方、可動ホルダと支柱の何れか他方側には、当接部の係合面に歯合する被係合面を設けたストッパを加圧状態で配置するよう構成される。
【０００８】
鏡本体は、好ましくは、第一ボルト部材に軸支されて可動ホルダに保持されることで、仰角方向に調整可能に構成されている。また、ストッパは、好ましくは、第二ボルト部材に保持されて前後方向に進退可能に加圧されている。
【０００９】
また、本考案は、ストッパに設けられた略ノコギリ歯状の被係合面が、水平方向に加圧されるよう構成されるのが好ましい。可動ホルダの一部に略ノコギリ歯状の係合面が形成されることで、当接部として機能させるのも好適である。
【００１０】
可動ホルダは、好ましくは、略Ｕ字状の装着部を有して構成され、装着部の内方装着面の間に、鏡本体の一部が配置されて第一ボルト部材によって軸支されるのが好適である。
【００１１】
また、可動ホルダは、高さ方向に延びた長板状に形成された二枚の板材と、二枚の板材を接続する中央板とで、断面Ｈ字状に構成された本体部を有して構成され、中央板の高さ方向に形成された長穴が、支柱に保持された第二ボルト部材に対するスライド溝として機能させるのが好適である。ここで、中央板は、係合面を形成した当接部として機能させるのが簡易的である。
【００１２】
鏡本体は、可動ホルダに保持される継手ホルダと、鏡を配置した中央ハウジングを回転可能に保持して、継手ホルダに固定される位置決めホルダと、を有して構成されているのが好ましい。ここで、位置決めホルダには、前後方向に移動可能な可動片が形成されている一方、中央ハウジング１１には、可動片に設けられた係止部に対応する位置に被係止部が形成されているのが好適である。また、中央ハウジングに対面する可動片の先端の一部を切欠くことで係止部が形成され、中央ハウジングには被係止部が突出形成されているのが好適である。
【考案の効果】
【００１３】
本考案によれば、任意の高さに調整可能で、鏡面を回転させることもできる簡易タイプの三面鏡を実現できる。
【図面の簡単な説明】
【００１４】
【図１】実施例の三面鏡を示す正面図と平面図である。
【図２】側面側から見た三面鏡の断面図である。
【図３】可動ホルダを示す図面である。
【図４】支柱の一方片を示す図面である。
【図５】支柱の他方片を示す図面である。
【図６】支柱に収容されるストッパを示す図面である。
【図７】継手ホルダを示す図面である。
【図８】中央ハウジングを示す図面である。
【図９】位置決めホルダを示す図面である。
【考案を実施するための形態】
【００１５】
以下、実施例に基づいて本考案を詳細に説明する。図１は、実施例に係る三面鏡の全体構成を示す正面図（ａ）と平面図（ｂ）であり、３枚の鏡が折畳まれた状態を示している。また、図２は、側面側から見た中央断面図（ａ）と、背面側から見た中央断面図（ｂ）を概略的に示している。
【００１６】
図１〜図２に示す通り、この三面鏡は、仰角方向及び円周方向に回転可能な鏡本体１と、鏡本体１を保持した状態で昇降可能な可動ホルダ２と、可動ホルダ２を収容する箱状の支柱３と、支柱３を固定的に保持する土台４とに大別されて構成されている。
【００１７】
鏡本体１は、第一ボルトＢＴ１に軸支されて可動ホルダ２に保持されている。また、可動ホルダ２は、支柱３を一体化する第二ボルトＢＴ２を案内軸として昇降される。
【００１８】
＜土台４＞
土台４は、平面視で１６０ｍｍ×１４０ｍｍ程度の略矩形状に構成され、収納溝４１と保持溝４２とが正面側と背面側に、各々、有底箱状に形成されている。収納溝４１の用途は何ら限定されないが、やや幅広に形成されており、例えば、化粧道具やアクセサリーの収納空間として活用される。一方、保持溝４２は、支柱３の下端を保持する部分である。この実施例では、土台４の底面から支柱３の下端面に向けて、２本のタッピンネジＳＣをネジ込むことで、支柱３が土台４に固定されている。
【００１９】
＜可動ホルダ２＞
図３は、可動ホルダ２を示しており、各々、背面側から見た場合における、左側面図（ａ）、正面図（ｂ）、中央断面図（ｃ）、右側面図（ｄ）、及びＡ−Ａ断面図（ｅ）である。
【００２０】
図３（ａ）〜図３（ｅ）に示す通り、可動ホルダ２は、平面視で断面Ｈ字状の本体部２ａと、正面視で略Ｕ字状の装着部２ｂとに区分される。本体部２ａは、正面視で左右方向に延びる前方板２１及び後方板２２と、前方板２１と後方板２２とを左右中央位置で接続する中央板２０と、断面Ｈ字状に構成されている。
【００２１】
中央板２０には、その中央に長穴２３が上下方向に形成され、支柱３に挿入される第二ボルトＢＴ２に対するスライド溝を構成している。なお、長穴２３の下端は、閉塞されているので、可動ホルダ２を最上位まで上昇させても、それ以上の上昇が第二ボルトＢＴ２に阻止されることで、可動ホルダ２が支柱３から抜出るおそれはない。
【００２２】
また、中央板２０における、背面視の左側端面には、長穴２３を挟んでノコギリ歯状の係合突起２４が上下方向に連続して形成されている（図３（ａ）、図３（ｃ）参照）。一方、背面視における中央板２０の右側端面は、平坦に形成されている（図３（ｄ））。
【００２３】
装着部２ｂは、第一ボルトＢＴ１とナットＮＴを使用して、可動ホルダ２に鏡本体１を取り付ける部分である。そして、装着部２ｂは、中央板２０に連続する底面２５と、底面２５から直立する左右の装着面２６，２７とを有して構成されている。
【００２４】
装着面２６，２７は、各々平坦面に形成されており、その中央には、第一ボルトＢＴ１を貫通させる丸穴２８が各々形成されている。そして、装着面２６の反対面には、第一ボルトＢＴ１の頭部を受け止めると共に、皿バネＤＳと座金を保持する円柱溝ＧＶ１が形成されている。一方、装着面２７の反対面には、ナットＮＴを保持する角柱溝ＧＶ２が形成されている。なお、第一ボルトＢＴ１の頭部には、ドライバの先端形状に対応する十字穴が形成されている。
【００２５】
＜支柱３＞
支柱３は、可動ホルダ２を昇降可能に保持する縦長の収容箱であり、二つ割りされた一方片３０Ｌと他方片３０Ｒとに区分され、第二ボルトＢＴ２を利用して一体化するよう構成されている。図４は、背面側から見て左側に位置する一方片３０Ｌを図示したものであり、背面側から見た場合における、左側面図（ａ）、正面図（ｂ）、中央断面図（ｃ）、右側面図（ｄ）を示している。また、図５は、背面側から見て右側に位置する他方片３０Ｒを図示したものであり、背面側から見た場合における、左側面図（ａ）、中央断面図（ｂ）、正面図（ｃ）、右側面図（ｄ）を示している。
【００２６】
一方片３０Ｌ及び他方片３０Ｒには、土台４に挿入される挿入部３１Ｌ，３１Ｒと、第二ボルトＢＴ２とナットＮＴを受け止める取付部３２Ｌ，３２Ｒとが形成されている。図４（ｃ）と図５（ｂ）に示す通り、挿入部３１Ｌ，３１ＲにはタッピンねじＳＣがネジ込まれる丸穴３３Ｌ，３３Ｒが形成されている。
【００２７】
他方片３０Ｒの取付部３２Ｒは、ナットＮＴを受け止める外側角穴３７と、第二ボルトＢＴ２を貫通させる内側収容穴３８とが、内外に連続して形成されている。
【００２８】
また、一方片３０Ｌの取付部３２Ｌは、第二ボルトＢＴ２の頭部を収容する外側丸穴３４と、スプリングＳＰとストッパ５０とを収容する内部収容穴３５とが、内外に連続して形成されている。内部収容穴３５は、丸穴状に形成されている。そして、内部収容穴３５の側面を切除する切欠き３６が、前後水平方向に整列して２箇所に形成されている（図４（ｃ））。
【００２９】
＜ストッパ５０＞
図６は、内部収容穴３５に収容されるストッパ５０を示す図面である。ストッパ５０は、第二ボルトＢＴ２が貫通する円環部５１と、円環部５１に連設される延長部５２とで一体的に形成されている。円環部５１及び延長部５２には、平坦な底面５０Ａが形成され、延長部５２の頂面には、第二ボルトＢＴ２の軸方向に突出する突出歯５２Ａが形成されている。ここで、突出歯５２Ａは、可動ホルダ２に形成された係合突起２４と歯合するよう構成されている。
【００３０】
ストッパ５０は、その円環部５１が、支柱３の内部収容穴３５に収容され、延長部５２が、内部収容穴３５に形成された切欠き３６に収容されている。そのため、ストッパ５０は、支柱３の内部収容穴３５の中で、移動可能に保持されることになる。図２に示す通り、内部収容穴３５には、ストッパ５０の底面５０Ａを押圧するスプリングＳＰが収容されている。そのため、ストッパ５０の突出歯５２Ａが、可動ホルダ２の係合突起２４に押圧されることで、突出歯５２Ａと係合突起２４の歯合によって、可動ホルダ２が保持される。
【００３１】
そして、可動ホルダ２を昇降させた場合には、可動ホルダ２の係合突起２４が、突出歯５２Ａを乗り越えることで、突出歯５２Ａの一ピッチずつ可動ホルダ２が上下方向に歩進し、突出歯５２Ａを乗り越えた停止位置で安定する。
【００３２】
＜鏡本体１＞
図２（ａ）に示す通り、鏡本体１は、可動ホルダ２の装着部２ｂに保持される継手ホルダ１０と、中央ハウジング１１と、中央ハウジング１１を回転可能に保持して、継手ホルダ１０に固定される位置決めホルダ１２と、を有して構成されている。
【００３３】
中央ハウジング１１の左右端部には、左右ハウジング１３，１４が軸支されており（図１（ｂ）参照）、各ハウジング１１，１３，１４に鏡が固定されることで三面鏡を構成している。ここで、中央ハウジング１１は、位置決めホルダ１２と継手ホルダ１０とで、適度な強度で挟持されているので、円周方向に手動回転させることができる。また、継手ホルダ１０は、第一ボルトＢＴ１とナットＮＴと皿バネＤＳによって保持されているので、第一ボルトＢＴ１を緩めることで、鏡本体１の仰角も適度に調整可能である（図２）。
【００３４】
＜継手ホルダ１０＞
図７に示す通り、継手ホルダ１０は、装着部２ｂの左右幅に対応して峰状に形成された保持峰１５と、円盤状に広がる当接円盤１６とが一体的に構成されている。なお、当接円盤１６は、当接円盤１６の外周を形成する円環部１６Ａと、円環部１６Ａからやや後退して保持峰１５に連続する円板部１６Ｂと、に区分されている。
【００３５】
保持峰１５には、円板部１６Ｂから直立する保持側面６０，６０が形成されており（図７（ｅ））、２つの保持側面６０，６０が、可動ホルダ２の装着面２６，２７に当接されるようになっている。また、左右の保持側面６０，６０を連絡して貫通穴６１が形成されており、この貫通穴６１に挿入された第一ボルトＢＴ１が、ナットＮＴと螺合することで、鏡本体１の保持峰１５が装着部２ｂに保持される。なお、保持峰１５の頂上を切欠いて、長穴６２が形成されており、軽量化を実現すると共に、第一ボルトＢＴ１を締め込んだ場合に、保持峰１５の適度な弾性変形を可能にしている。
【００３６】
円板部１６Ｂの中央には、突出円柱６３が形成されており、突出円柱６３の中心には、タッピンねじを受け入れる丸穴６４が、保持峰１５の内部に向けて形成されている。突出円柱６３は、その外周の一部が切除されることで位置決め面６３Ａが形成されている。また、突出円柱６３の周りには、保持峰１５を掘り込んだ掘込溝６５が、正面視で径方向に設けられている。図７（ａ）に示す通り、４個の掘込溝６５は、９０度の等間隔で形成されている。
【００３７】
＜中央ハウジング１１＞
図８は、中央ハウジング１１を示す図面であり、正面図（ａ）、側面図（ｂ）、中央断面図（ｃ）、背面図（ｄ）、及び、平面図（ｅ）を示している。
【００３８】
中央ハウジング１１は、鏡が貼着される本体部６６と、本体部６６の中央開口ＨＯに対応して背面側に延びる有底円筒部６７とに大別される。矩形状の本体部６６の四隅には、連設部ＡＴが設けられており、左右のハウジング１３，１４に形成された連設部ＡＴ’と連設部ＡＴとを連結することで、３つのハウジング１１，１３，１４が一体化される。具体的には、全ての連設部ＡＴ，ＡＴ’は、ピン穴を有して略円柱状に形成されており、ピン穴にスプリングピンを挿入することで、中央ハウジング１１の両側に左右のハウジング１３，１４が軸支される。
【００３９】
有底円筒部６７の中央には、継手ホルダ１０の突出円柱６３を通過させる貫通穴６８が形成されている。また、有底円筒部６７の正面側の底面には、４個の突出片ＰＲが９０度の等間隔で周方向に形成されている。
【００４０】
＜位置決めホルダ１２＞
図９は、位置決めホルダ１２を図示したものであり、正面図（ａ）、側面図（ｂ）、中央断面図（ｃ）、背面図（ｄ）、及び、Ｃ−Ｃ断面図（ｅ）を示している。
【００４１】
位置決めホルダ１２は、傘状本体部１２Ａと、傘状本体部１２Ａの中央に位置して軸方向後方に突出する位置決め部１２Ｂとに区分される。
【００４２】
そして、傘状本体部１２Ａに切込み溝ＣＵＴを設けることで、切込み溝ＣＵＴの間に、やや屈曲した可動片７０が形成されている。図９（ｄ）に示す通り、可動片７０の屈曲先端部には、各々、切込溝７１が切除形成されている。この切込溝７１は、中央ハウジング１１の突出片ＰＲの半径位置に対応して形成されており、互いに接触可能に構成されている。なお、傘状本体部１２Ａの中央には、丸穴７２が形成されることで、タッピンネジＴＰの頭部の収容空間を確保している。
【００４３】
位置決め部１２Ｂは、軸方向後方に大きく突出する突出軸部７３と、突出軸部７３の周りに径方向に設けられた突条部７４とで構成されている。突出軸部７３には、継手ホルダ１０の突出円柱６３を受け入れる受入れ穴７５が形成されている。図９（ｄ）に示す通り、受入れ穴７５は、突出円柱６３の位置決め面６３Ａに対応する平坦面７５Ａが形成されている。
【００４４】
突条部７４は、周方向に等間隔に４５度毎に８個形成されている。この突条部７４は、継手ホルダ１０の掘込溝６５に突入する部分であり、位置決め面６３Ａと共に、位置決めホルダ１２と継手ホルダ１０との位置決めを実現している。そして、掘込溝６５と位置決め面６３Ａとで、位置決めホルダ１２と継手ホルダ１０とが一体化されるので、中央ハウジング１１の回転に拘らず、位置決めホルダ１２が回転することはない。
【００４５】
ところで、可動片７０に切除形成されている切込溝７１に対応して、中央ハウジング１１には突出片ＰＲが形成されている。ここで、位置決めホルダ１２は、継手ホルダ１０と一体化されて固定状態であるが、位置決めホルダ１２と継手ホルダ１０との間に位置する中央ハウジング１１は、手動回転可能な程度に緩やかに挟持されている。
【００４６】
そのため、中央ハウジング１１を周方向に回転させると、中央ハウジング１１に形成された突出片ＰＲが、可動片７０を軸方向前方に少し揺動させた後、突出片ＰＲが切込溝７１に突入することで安定化する。
【００４７】
ここで、突出片ＰＲは、周方向の９０度の等間隔で形成されているので、中央ハウジング１１は、これを９０度回転させる毎に安定位置に達することになる。したがって、三面鏡を水平方向に広げることもできるし、中央ハウジング１１を９０度回転させると、三面鏡を垂直方向に広げることもできる。
【００４８】
そして、三面鏡を９０度回転した状態で両側の鏡を広げると、上下に位置する鏡を適宜に折り曲げることで、使用者の頭頂部や後頭部をチェックすることができる。なお、三面鏡を水平方向に広げて、左右の鏡を適宜に折り曲げると、使用者の左右横顔をチェックすることができる。
【００４９】
また、本実施例では、可動ホルダ２を適宜に昇降させることで、鏡本体１を、使用者に最適な高さに位置させることができる。
【符号の説明】
【００５０】
１      鏡本体
２      可動ホルダ
３      支柱
２４      係合面
２０      中央板
５２Ａ    被係合面
５０      ストッパ
【図１】
0003162627.tif 000003
【図２】
0003162627.tif 000004
【図３】
0003162627.tif 000005
【図４】
0003162627.tif 000006
【図５】
0003162627.tif 000007
【図６】
0003162627.tif 000008
【図７】
0003162627.tif 000009
【図８】
0003162627.tif 000010
【図９】
0003162627.tif 000011